(57)【要約】  回転体用のねじり周波数調節装置が提供され、ねじり周波数調節装置は：回転体の外面に平行な第１の係合面（１１１）を有する第１のリング（１１０）であって、第１の係合面の全弧長が回転体（１０）の外面（１２）の周長より短く、第１のリングが、第１の係合面（１１１）に対して第１の角度で傾斜させた第１の楔形面（１１２）をさらに有する第１のリング（１１０）；第１の楔形面（１１２）に対応し、それと選択的に係合する第２の楔形面（１２２）を有する第２のリング（１２０）であって、第２の楔形面（１２２）の全弧長が、第１のリング及び第２のリングに共通の長手方向の軸に沿った対応する各点において、第１の楔形面（１１２）の全弧長より短い第２のリング（１２０）；並びに、第１の楔形面（１１２）を選択的に第２の楔形面（１２２）と係合させ、それによって、第１の係合面（１１１）の回転体（１０）の外面（１２）との締まり嵌めを生じさせるインデューサ（１３０）を備える。【選択図】  図１
2016512307.tif 000002
【特許請求の範囲】
【請求項１】
回転体（１０）用のねじり周波数調節装置（１００）であって：
回転体（１０）の外面（１２）に平行な第１の係合面（１１１）を有する第１のリング（１１０）であって、第１の係合面（１１１）の全弧長が回転体（１０）の外面（１２）の周長より短く、第１のリング（１１０）が、第１の面（１１１）に対して第１の角度で傾斜させた第１の楔形面（１１２）をさらに有する、第１のリング（１１０）；
第１の楔形面（１１２）に対応し、それと選択的に係合する第２の楔形面（１２２）を有する第２のリング（１２０）であって、第２の楔形面（１２２）の全弧長が、第１のリング（１１０）及び第２のリング（１２０）の共通の長手方向の軸に沿った対応する各点において、第１の楔形面（１１２）の全弧長より短い、第２のリング（１２０）；並びに
第１の楔形面（１１２）を選択的に第２の楔形面（１２２）と係合させ、それによって、第１の係合面（１１１）の回転体（１０）の外面（１２）との締まり嵌めを生じさせるインデューサ（１３０）
を備えるねじり周波数調節装置（１００）。
【請求項２】
第１のリング（１１０）が、複数の弧形セグメント（１４０）、及び周方向に隣接する弧形セグメント（１４０）のそれぞれの対の間の１つ以上の間隙（１４２）を含む、請求項１記載の調節装置（１００）。
【請求項３】
第２のリング（１２０）が、複数の弧形セグメント（１５０）、及び周方向に隣接する弧形セグメント（１５０）のそれぞれの対の間の１つ以上の間隙（１５２）を含む、請求項１記載の調節装置（１００）。
【請求項４】
第１のリング（１１０）が、複数の第１の弧形セグメント（１４０）、及び周方向に隣接する第１の弧形セグメント（１４０）のそれぞれの対の間の１つ以上の第１の間隙（１４２）を含み、
第２のリング（１２０）が、複数の第２の弧形セグメント（１５０）、及び周方向に隣接する第２の弧形セグメント（１５０）のそれぞれの対の間の１つ以上の第２の間隙（１５２）を含み、各第１の間隙（１４２）が、任意の第２の間隙（１５２）から周方向に間隔を置いて配置される、請求項１記載の調節装置（１００）。
【請求項５】
インデューサ（１３０）が、第１のリング（１１０）及び第２のリング（１２０）の両側の第１のリテーナリング（１６０）及び第２のリテーナリング（１６０）、並びに第１のリテーナリング（１６０）及び第２のリテーナリング（１６０）を一緒に選択的に引っ張り、それによって、第１の楔形面（１１２）及び第２の楔形面（１２２）を選択的に係合させるように、第１のリテーナリング（１６０）及び第２のリテーナリング（１６０）のまわりに周方向に間隔を置いて配置された複数の締め具（１３２）を含む、請求項１記載の調節装置（１００）。
【請求項６】
第１のリング（１１０）が、第１の係合面（１１１）に対して傾斜させた第３の楔形面（１１６）を含み、第１の楔形面（１１２）の最大直径の端部が、第３の楔形面（１１６）の最大直径の端部に隣接するようになっている、請求項１記載の調節装置（１００）。
【請求項７】
第３の楔形面（１１６）に対応し、それと選択的に係合する第４の楔形面（１２９）を有する第３のリング（１２８）をさらに含み、第４の楔形面（１２９）の全弧長が、第１のリング（１１０）及び第３のリング（１２８）の共通の長手方向の軸に沿った対応する各点において、第３の楔形面（１１６）の全弧長より短い、請求項６記載の調節装置（１００）。
【請求項８】
インデューサ（１３０）が、第２のリング（１２６）及び第３のリング（１２８）を一緒に選択的に引っ張り、それによって、第１の楔形面（１１２）及び第２の楔形面（１２２）を一緒に選択的に引っ張り、且つ第３の楔形面（１１６）及び第４の楔形面（１２９）を一緒に引っ張るように、第２のリング（１２６）及び第３のリング（１２８）のまわりに周方向に間隔を置いて配置され、第２のリング（１２６）及び第３のリング（１２８）に挿通された複数の締め具（１３２）を含む、請求項７記載の調節装置（１００）。
【請求項９】
第２のリング（１２６）又は第３のリング（１２８）の少なくとも一方が、複数のサブリング（１２４）を含み、各サブリング（１２４）が、それぞれの複数の弧形セグメント（１５０）を含み、各サブリング（１２４）が、周方向に隣接する弧形セグメント（１５０）のそれぞれの対の間の１つ以上のそれぞれの間隙（１５２）を含み、複数のサブリング（１２４）が、それらのそれぞれの間隙（１５２）が周方向に間隔を置いて配置されるように配置される、請求項７記載の調節装置（１００）。
【請求項１０】
第２のリング（１２６）と第３のリング（１２８）の両方が、複数のサブリング（１２４）を含み、両方の複数のサブリング（１２４）の間隙（１５２）が、２つの間隙（１５２）が同じ周方向位置を占めないように周方向に間隔を置いて配置される、請求項９記載の調節装置（１００）。
【請求項１１】
回転体（１０）用のねじり周波数調節装置（１００）であって：
第１の内側の全弧長が回転体（１０）の外側の周長より短い第１の複数の弧形セグメント（１４０）を有する第１のリング（１１０）；
第２の内側の全弧長が第１のリング（１１０）の外側の全弧長より短い第２の複数の弧形セグメント（１５０）を有する第２のリング（１２０）；及び
第１のリング（１１０）に半径方向内側の力を生じさせ、それによって、内側リングを回転体（１０）と係合させるように、第１のリング（１１０）又は第２のリング（１２０）の少なくとも一方に取り付けられたインデューサ（１３０）
を備えるねじり周波数調節装置（１００）。
【請求項１２】
複数の弧形セグメント（１４０、１５０）のそれぞれが、弧形セグメント（１４０、１５０）のそれぞれの対の間に１つ以上の間隙（１４２、１５２）を含み、各間隙（１４２、１５２）が、回転体（１０）のまわりで互いの間隙（１４２、１５２）に対して固有の周方向位置を有する、請求項１１記載のねじり周波数調節装置（１００）。
【請求項１３】
第２のリング（１２０）が、第１のリング（１１０）の左部分の上に配設された１つ以上の左リング（１２６）、及び第１のリング（１１０）の右部分の上に配設された１つ以上の右リング（１２８）を含む、請求項１１記載のねじり周波数調節装置（１００）。
【請求項１４】
第１のリング（１１０）が、左の楔形面（１１２）及び右の楔形面（１１６）をさらに含み、左の楔形面（１１２）の最大直径が、右の楔形面（１１６）の最大直径に隣接し、
１つ以上の左リング（１２６）の内面が左の楔形面（１１２）に対応し、
１つ以上の右リング（１２８）の内面が右の楔形面（１１６）に対応し、
インデューサ（１３０）が、１つ以上の左リング（１２６）を１つ以上の右リング（１２８）に向かって選択的に引っ張り、それによって、１つ以上の左リング（１２６）の内面を左の楔形面（１１２）と係合させ、１つ以上の右リング（１２８）の内面を右の楔形面（１１６）と係合させる、
請求項１３記載のねじり周波数調節装置（１００）。
【請求項１５】
インデューサ（１３０）が、１つ以上の左リング（１２６）及び１つ以上の右リング（１２８）のそれぞれの、１つ以上の最も外側のリングに取り付けられた、複数の周方向に間隔を置いて配置された締め具（１３２）を含む、請求項１４記載のねじり周波数調節装置（１００）。
【請求項１６】
複数の周方向に間隔を置いて配置された締め具（１３２）が、１つ以上の左リング（１２６）及び１つ以上の右リング（１２８）に挿通されたボルト（１３２）を含む、請求項１５記載のねじり周波数調節装置（１００）。
【請求項１７】
回転体（１０）用のねじり周波数調節装置（１００）であって：
内側の全弧長が回転体（１０）の外側の周長より短い内側リング（１１０）であって：
内側リング（１１０）の最大外径を有する長手方向の中心（１１５）と；
最大外径より小さい外径を有する長手方向の前方縁部（１１３）から、長手方向の中心（１１５）へ延びる前方部分と；
長手方向の中心（１１５）から、最大外径より小さい外径を有する長手方向の後方縁部（１１４）へ延びる後方部分と
を含む内側リング（１１０）；
内側リング（１１０）の前方部分の外面と係合するように大きさを定められた２つ以上の前方外側リング（１２６）であって、２つ以上の前方外側リング（１２６）が長手方向において互いに係合しているとき、２つ以上の前方外側リング（１２６）の組み合わされた内面が、内側リング（１１０）の前方部分の外面と選択的に係合する実質的に連続した内面を形成するように、各前方外側リング（１２６）が、内側リング（１１０）の前方部分の外面の少なくとも一部に対応する内面を含む、２つ以上の前方外側リング（１２６）；
内側リング（１１０）の後方部分の外面と係合するように大きさを定められた２つ以上の後方外側リング（１２８）であって、２つ以上の後方外側リング（１２８）が互いに係合しているとき、２つ以上の後方外側リング（１２８）の組み合わされた内面が、内側リング（１１０）の後方部分の外面と選択的に係合する実質的に連続した内面を形成するように、各後方外側リング（１２８）が、内側リング（１１０）の後方部分の外面の少なくとも一部に対応する内面を含む、２つ以上の後方外側リング（１２８）；並びに
２つ以上の前方外側リング（１２６）及び２つ以上の後方外側リング（１２８）を一緒に長手方向に選択的に引っ張り、それにより、外側リング（１２６、１２８）の内面を内側リング（１１０）の外面と係合させて、内側リング（１１０）内に、回転体（１０）に取り付けられた調節装置（１００）に応答して内側リング（１１０）と回転体（１０）との間の締まり嵌めをもたらす半径方向内側の力を生じさせるインデューサ（１３０）
を備える、ねじり周波数調節装置（１００）。
【請求項１８】
各外側リング（１２６、１２８）が２つ以上の弧形セグメント（１５０）、及び弧形セグメント（１５０）のそれぞれの対の間の１つ以上の間隙（１５２）を含み、各間隙（１５２）が、内側リング（１１０）及び互いの間隙（１５２）に対して実質的に固有の周方向位置を有する、請求項１７記載のねじり周波数調節装置（１００）。
【請求項１９】
２つ以上の前方外側リング（１２６）が、４つの前方外側リング（１２６）を含み、２つ以上の後方外側リング（１２８）が４つの後方外側リング（１２８）を含む、請求項１８記載のねじり周波数調節装置（１００）。
【請求項２０】
インデューサ（１３０）が、前方外側リング（１２６）の少なくとも最も前方、及び後方外側リング（１２８）の少なくとも最も後方と係合する、複数の周方向に間隔を置いて配置された締め具（１３２）を含む、請求項１７記載のねじり周波数調節装置（１００）。
【発明の詳細な説明】
【技術分野】
【０００１】
本開示は一般に、ガスタービンロータ又は蒸気タービンロータなどの回転体のねじり共振周波数の調節に関し、より詳細には、そうしたねじり共振周波数を調整又は調節するために、そうした回転体の慣性及び／又は質量のモーメントを調節することに関する。
【背景技術】
【０００２】
回転機械の動作時、特に発電タービンの動作時には、動作中の機械の過度の振動、及び／又は損傷、及び／又は故障を回避するために、機械の１つ以上の回転要素のねじり共振周波数を変えることが望ましいことがある。それを行うための現行の解決策では、通常、質量リングを加えることによってロータなどの質量を増やす。しかしながら、その工程は、質量リングを加熱し、ロータ上の所望の取り付け位置に配置し、冷却してロータに対する質量リングの焼き嵌めを形成することができるように、ロータをその半分のシェル又はケーシングから取り外すことを必要とする。ロータを半分のシェルから取り外すことによって、焼き嵌め工程と同様に、工程の時間及び複雑さが増す。ロータの取り外しは、１つ以上の連結器の分解も必要とし、さらに複雑さ及び必要とされる時間が増す。
【先行技術文献】
【特許文献】
【０００３】
【特許文献１】米国特許第１６４５３４３号
【発明の概要】
【課題を解決するための手段】
【０００４】
本明細書に開示される本発明の実施形態は、第１のリング及び第２のリングを有する、回転体用のねじり周波数調節装置の形をとることができる。第１のリングは、回転体の外面に平行な第１の係合面を有することができ、その第１の面の全弧長は回転体の外面の周長より短い。第１のリングは、第１の面に対して第１の角度で傾斜させた第１の楔形面をさらに有することができる。第２のリングは、第１の楔形面に対応し、それと選択的に係合する第２の楔形面を有することができ、第２の楔形面の全弧長は、第１のリング及び第２のリングの共通の長手方向の軸に沿った対応する各点において、第１の楔形面の全弧長より短い。調節装置は、第１の楔形面を選択的に第２の楔形面と係合させ、それによって、第１の係合面の回転体の外面との締まり嵌めを生じさせるインデューサを含むことができる。
【０００５】
本発明の実施形態は、第１の内側の全弧長が回転体の外側の周長より短い第１の複数の弧形セグメントを含む第１のリングを有する、回転体用のねじり周波数調節装置の形をとることもできる。さらに、調節装置は、第２の内側の全弧長が第１のリングの外側の全弧長より短い第２の複数の弧形セグメントを有する、第２のリングを含むことができる。第１のリングに対して半径方向内側の力を生じさせ、それによって内側リングを回転体と係合させるように、第１のリング又は第２のリングの少なくとも一方に、調節装置のインデューサを取り付けることができる。
【０００６】
別の実施形態は、内側の全弧長が回転体の外側の全弧長より短い内側リングを含む、回転体用のねじり周波数調節装置を含むことができる。内側リングは、内側リングの最大外径を備える長手方向の中心、長手方向の前方縁部から長手方向の中心へ延びる前方部分、及び長手方向の中心から長手方向の後方縁部へ延びる内側リングの後方部分を有することができる。長手方向の前方縁部は、最大外径より小さい外径を有することができ、長手方向の後方縁部も同様とすることができる。調節装置は、内側リングの前方部分の外面と係合するように大きさを定められた２つ以上の前方外側リング、及び内側リングの後方部分の外面と係合するように大きさを定められた２つ以上の後方外側リングをさらに含むことができる。２つ以上の前方外側リングが長手方向において互いに係合しているとき、２つ以上の前方外側リングの組み合わされた内面が、内側リングの前方部分の外面と選択的に係合する実質的に連続した内面を形成するように、各前方外側リングは、内側リングの前方部分の外面の少なくとも一部に対応する内面を含むことがでる。同様に、２つ以上の後方外側リングが互いに係合しているとき、２つ以上の後方外側リングの組み合わされた内面が、内側リングの後方部分の外面と選択的に係合する実質的に連続した内面を形成するように、各後方外側リングは、内側リングの後方部分の外面の少なくとも一部に対応する内面を含むことができる。調節装置のインデューサは、２つ以上の前方外側リング及び２つ以上の後方外側リングを一緒に長手方向に選択的に引っ張ることができ、それにより、外側リングの内面を内側リングの外面と係合させて、内側リング内に、回転体に取り付けられた調節装置に応答して内側リングと回転体との間の締まり嵌めをもたらす半径方向内側の力を生じさせる。
【０００７】
本発明の他の態様は、本明細書に記載される動作の一部又はすべてを含む且つ／又は実施する、それぞれを使用及び生成する方法を提供する。本発明の例示的な態様は、本明細書に記載される問題の１つ以上、及び／又は論じられない１つ以上の他の問題を解決するように設計される。
【０００８】
本開示のこれらの特徴及び他の特徴は、本発明の様々な態様を示す添付図面と共に取り上げられる、本発明の様々な態様に関する以下の詳細な説明からより容易に理解されるであろう。
【図面の簡単な説明】
【０００９】
【図１】本明細書に開示される本発明の実施形態による、未組み立てのねじり周波数調節装置の概略的な断面図である。
【図２】本明細書に開示される本発明の実施形態による、図１で見られる未組み立てのねじり周波数調節装置の概略的な斜視図である。
【図３】本明細書に開示される本発明の実施形態による、組み立て後の図１及び図２のねじり周波数調節装置の概略的な断面図である。
【図４】本明細書に開示される本発明の実施形態による、図３の組み立て後のねじり周波数調節装置の概略的な斜視図である。
【図５】本明細書に開示される本発明の実施形態による、未組み立てのねじり周波数調節装置の概略的な断面図である。
【図６】本明細書に開示される本発明の実施形態による、図５の組み立て後のねじり周波数調節装置の概略的な断面図である。
【図７】本明細書に開示される本発明の実施形態による、図５及び図６のねじり周波数調節装置の概略的な斜視図である。
【図８】本明細書に開示される本発明の他の実施形態による、ねじり周波数調節装置の概略的な断面図である。
【図９】本明細書に開示される本発明の追加の実施形態による、ねじり周波数調節装置の概略的な断面図である。
【図１０】本明細書に開示される本発明のさらなる実施形態による、ねじり周波数調節装置の概略的な断面図である。
【発明を実施するための形態】
【００１０】
図面は一律の縮尺ではない場合があることに留意されたい。図面は、本発明の典型的な態様を示すものにすぎず、したがって、本発明の範囲を限定するものと考えるべきではない。図面において、類似の番号付けは、図面間で類似の要素を表す。
【００１１】
詳細な説明は、図面に関連する例によって、本発明の実施形態を利点及び特徴と共に説明するものである。
【００１２】
本発明の態様は、ロータをそのケーシング又は半分のシェルから取り外すことなく、且つ連結ボルトを取り外すことなく、ロータなどの回転体に質量を追加し、ロータ又はそれぞれのロータトレインのねじり共振周波数を変える方法を提供する。概して、２つ以上の質量リング、外側リング又はボルトリングによって、ロータに楔形リングを押し付けることができるが、複数の楔形リングを用いてもよい。楔形リング及び／又は質量リングを、それぞれが２つ以上の部分を含むように分割することにより、楔形リングのまわりで質量リングを一緒に引くことによって締まり嵌めを生じさせることが可能になる。特に有利な構成は、質量リング及び／又は楔形リング、並びに組立体全体に対する応力を低減するために、ボルトリングのセグメント間に、周方向に互い違いに配置する間隙を含む。質量リングが、ロータなどの上の楔形リングの上で一緒に引っ張られると、楔形のものをロータに押し付ける楔形の動作によって半径方向内側の力が生成され、締まり嵌めを生じさせる。締まり嵌めは、ロータ上のねじり周波数調節装置の位置を維持し、それが軸方向又は周方向に動くのを防止し、またロータに対して実施される過速度バランス手順などにおいて予想される過速度条件を通じて接触を維持する。
【００１３】
図１〜図４を参照する場合、いくつかの要素は図１及び図３の断面図のみに見られ、回転体１０用のねじり周波数調節装置１００の一例が、実施形態では内側リング又は楔形リングと解釈することができる第１のリング１１０を含み得ることに留意されたい。第１のリング１１０は、円筒形の内面など、回転体１０の外面１２に平行な第１の係合面１１１を有することができる。第１の係合面１１１の内側の全弧長は、回転体１０の外面１２の周長より短くすることができる。第１の係合面１１１に対して第１の角度に傾斜させた第１の楔形面１１２が、第１のリング１１０の左又は前方の長手方向の縁部１１３から、第１のリング１１０の右又は後方の長手方向の縁部１１４に向かって延びることができる。特定の実装形態に応じて外側リング、リテーナリング、ボルトリング、及び／又は質量リングとすることが可能な第２のリング１２０は、第１の楔形面１１２に対応する第２の楔形面１２２を含む、内側先端１２１を有することができる。第２の楔形面１２２の内側の全弧長は、第１のリング１１０及び第２のリング１２０の共通の長手方向の軸に沿った対応する各点において、第１の楔形面１１２の全弧長より短い。インデューサ１３０は、第１の楔形面１１２及び第２の楔形面１２２を一緒に選択的に引っ張り、それによって、半径方向内側の力を生じさせる締まり嵌め又は楔形の動作を引き起こすことができる。調節装置１００が回転体１０に取り付けられると、半径方向内側の力が、調節装置１００を回転体１０上の適所に保持する。
【００１４】
特に図１及び図３に見られるように、第１のリング１１０の第１の楔形面１１２は、第１のリング１１０の長手方向の中心１１５で終わることができ、第１のリング１１０の長手方向の中心１１５から右又は後方の長手方向の縁部１１４へ延びる第３の楔形面１１６に隣接することができる。実施形態における第１のリング１１０は、長手方向の中心１１５に最大外径を有し、左の長手方向の縁部１１３及び右の長手方向の縁部１１４はそれぞれ、長手方向の中心１１５の外径より小さいそれぞれの外径を有する。図１〜図４では、左の長手方向の縁部１１３及び右の長手方向の縁部１１４が、等しい外径を有するように示されているが、所望されるように且つ／又は適宜、異なる外径を使用することができる。
【００１５】
また図１〜図４、特に図１及び図３に見られるように、第２のリング１２０は、複数の構成リング又はサブリング１２４を含む複合リングとすることができる。例えば、１つ以上の左又は前方のサブリング１２６を使用することができ、第２の楔形面１２２は、左又は前方のサブリング１２６それぞれの内面を含む。さらに、１つ以上の右又は後方のサブリング１２８を使用することができ、その内面は、第３の楔形面１１６に対応する第４の楔形面１２９を形成することができる。図１〜図４の例は、１つの左又は前方のサブリング及び１つの右又は後方のサブリングを示しているが、図５〜図７に見られるように、複数のそうしたサブリングを用いることができる。複数のサブリング１２４を調節装置の各側又は各端部に使用するとき、調節装置の所与の側又は端部又は部分のサブリングの内面は、それぞれの楔形面を含み得る実質的に連続した面を形成することができる。例えば、複数の左又は前方のサブリング１２６を用いる場合、それらの組み合わされた内面は、第２の楔形面１２２を含み得る実質的に連続した面を形成することができる。同様に、複数の右又は後方のサブリング１２８を用いる場合、それらの組み合わされた内面は、第４の楔形面１２９を含み得る連続した面を形成することができる。
【００１６】
インデューサ１３０は、図１〜図７の両方の例に見られるように、（１つ以上の）左又は前方のサブリング１２６及び（１つ以上の）右又は後方のサブリング１２８を一緒に引っ張るように配置された締め具を含むことができる。例えば締め具は、各側の最も外側のサブリングに取り付けることができるが、実施形態では、複数の円周方向に間隔を置いて配置されたボルト１３２をサブリングに挿通させ、ナット１３４を用いてサブリング１２４を一緒に引っ張ることが可能である。所望され得るように及び／又は適宜、他の締め具を用いることが可能であることに留意すべきである。締め具としてボルト１３２及びナット１３４を用いる場合、サブリングは、ナット１３４が締められると一緒に引っ張られるが、第２の楔形面１２２及び第４の楔形面１２９が、次第に十分に第１の楔形面１１２及び第３の楔形面１１６と係合するにつれて、一部ではボルト１３２によって半径方向外側の動きに対して拘束され、結果として楔形の動作が生じる。第１のリング１１０は回転体１０によって半径方向内側の動きに対して拘束されるため、楔形の動作は、調節装置１００を回転体１０上の適所に保持することが可能な締まり嵌め及び／又は半径方向内側の力を生じさせる。
【００１７】
また図２、図４及び図７に見られるように、第１のリング１１０、及びサブリング１２４を含む第２のリング１２０のそれぞれを分割することが可能であり、それによって、他の方法では従来型の調節装置の取り付けを妨げる可能性がある任意のハウジングなど（図示せず）から回転体を取り外すことなく、調節装置１００の回転体１０への取り付けを可能にすることができる。例えば、図２、図４及び図７に見られるように、第１のリング１１０は、回転体１０に選択的に取り付けられた複数の第１の弧形セグメント１４０を含むことができ、第２のリング１２０は、第１のリング１１０に選択的に取り付けられた複数の第２の弧形セグメント１５０を含むことができる。分割されたリング及び／又は分割されたサブリングのそれぞれについて、リングのセグメントの内面の全弧長は、面の周長より短く、それぞれの分割されたリングは、分割されたリングとそれが係合する面との間の締まり嵌めの形成を助けるように係合する。さらに、弧形セグメントの内面は、それらが係合する面と同じ曲率半径を有することができるが、実施形態において、締まり嵌めを強めるために、弧形セグメントがより小さい曲率半径を有することもできる。
【００１８】
第１のリング１１０に関して、実施形態における係合面１１１は、第１の弧形セグメント１４０の組み合わされた内面を含むことができ、第１のリング１１０の任意の全弧長は、第１の弧形セグメント１４０のそれぞれの弧長の総計を含むことができる。第１の弧形セグメント１４０はそれぞれ、回転体１０の外面の曲率半径に実質的に等しいその内面の曲率半径を有することができるが、第１の弧形セグメント１４０は、それらの内側の全弧長が回転体１０の外側の周長より短くなるように大きさを定めることができる。図２、図４及び図７に見られる例では、第１のリング１１０は、回転体１０のまわりに互いに反対側に取り付けることが可能な２つの第１の弧形セグメントを含み、セグメント間に直径の方向に対向する間隙１４２を残す。２つの間隙１４２が示されているが、弧形セグメントを当接するように取り付け、１つの間隙１４２をセグメント間の係合点の直径方向の反対に残すことが可能であることが明らかになるはずである。さらに、２つより多い第１の弧形セグメント１４０を用いる場合には、複数の間隙１４２を形成することができる。
【００１９】
第２のリング１２０は、図２及び図４では、それぞれが２つの第２の弧形セグメント１５０を有する２つのサブリング１２４を有するように示されている。第１のリング１１０のように、各サブリングの弧形セグメントを互いに反対側に取り付け、セグメント間に直径の方向に対向する間隙１５２を残すことができる（図では、右又は後方のサブリング１２８のセグメント間の間隙１５２は隠れている）。そうした間隙１５２は、例えば動作中に調節装置１００に歪みを生じさせる可能性があるため、実施形態では、間隙１５２によって生じる歪みをより均等に分散させるように、且つ／又は歪みを低減するように、サブリング１２４の間隙１５２を互い違いに配置することができる。例えば、各サブリングに２つのセグメントを用いる場合、間隙１５２は、９０度の間隔に、実質的に等しく周方向に間隔を置いて配置することができる。さらに、間隙１４２又は間隙１５２が、調節装置１００のまわりに４５度の間隔など、固有のそれぞれの周方向位置を占めることができるように、第１のリング１１０の間隙１４２を考慮することができる。図５〜図７に見られるように、第２のリング１２０に８つのサブリング１２４を用いるなど、より多くのサブリングを用いることによって、歪みを低減すること、及び／又は歪みをより均等に分散させることができる。図５〜図７には８つのサブリングが示されているが、適切であり得るように且つ／又は所望され得るように、第１のリング１１０及び／又は第２のリング１２０に任意の数のサブリングを用いることが可能であることが明らかになるはずである。
【００２０】
図８には、調節装置１００の別の例として、第１のリング又は楔形リング１１０及び第２のリング１２０の代替の構成が見られる。ここでは、第２のリング又はリテーナリング１２０のサブリング１２４が、実質的に半径方向外側を向く第２の楔形面１２２及び第４の楔形面１２９によって、ロータ１０の外面と係合することができ、したがって、実質的に半径方向内側を向く第１の楔形面１１２及び第３の楔形面１１６がそれぞれ、サブリング１２４の第２の楔形面１２２及び第４の楔形面１２９と選択的に係合することができるように、第１のリング又は楔形リング１１０を取り付けることが可能である。したがって、この例では、第１のリング１１０は外側リングを含むと考えることができ、第２のリング１２０は内側リングであると考えることができる。この構成では、インデューサ１３０は、ボルトなどの締め具１３２、並びに第１のリング１１０及びサブリング１２４を半径方向外側の動きに対して一緒に保持することが可能なリテーナフランジ又はリテーナ部分１６０を含むことができる。インデューサ１３０がサブリング１２４を引っ張ると、楔形の動作がサブリング１２４をロータ１０に対して押し付けることができる。次いで、楔形面１１２、１１６、１２２、１２９の間の干渉によって生成される半径方向の力の結果として、調節装置１００を適所に保持することができる。この構成を実施形態に使用することができるが、第１のリング又は楔形リング１１０の中にボルト１３２のための貫通孔を含めると、費用及び複雑さが増す可能性がある。
【００２１】
実施形態による調節装置１００のための別の構成を図９に示す。示されるように、第１のリング又は楔形リング１１０は、第１の楔形面１１２など１つの楔形面を有することができ、第２のリング１２０は、第２の楔形面１２２など１つの対応する楔形面を有することができる。第１のリング１１０及び第２のリング１２０の両側に取り付けられたリテーナリング１６０は、ここではボルトとして示す締め具１３２の動作に応答して、第１のリング１１０及び第２のリング１２０を一緒に引っ張り、保持することができる。ボルトは、第１のリング１１０及び第２のリング１２０の両方を貫通するように示されているが、実施形態におけるボルトが、第２のリング１２０のみを貫通してもよいことが明らかになるはずである。楔形面が一緒に引っ張られると、特に第２のリング１２０が締め具１３２などによって半径方向外側の動きに対して拘束されているときには、楔形の動作が、調節装置１００を回転体１０上に保持する半径方向内側の力を生じさせる。したがって、リテーナリング１６０及び／又はボルト１３２は、インデューサの一部と考えることができる。さらに図１０に見られるように、図９に見られる別個の要素ではなく、リテーナリング１６０をリテーナ部分又はリテーナフランジ１６０として含むことができる。
【００２２】
本発明について限られた数の実施形態のみに関連して詳細に説明してきたが、本発明が、そうした開示された実施形態に限定されないことが容易に理解されるはずである。むしろ、本発明は、これまで説明していないが、本発明の趣旨及び範囲に相応する任意の数の変形形態、変更形態、置換形態、又は同等の配置を包含するように修正することができる。さらに、本発明の様々な実施形態について説明してきたが、本発明の態様は、説明した実施形態のいくつかのみを含み得ることを理解されたい。したがって、本発明は、前述の説明によって限定されると理解されるべきではなく、添付の特許請求の範囲によってのみ限定される。
【符号の説明】
【００２３】
１０  回転体
１２  外面
１００  ねじり周波数調節装置
１１０  第１のリング、楔形リング
１１１  第１の係合面
１１２  第１の楔形面
１１３  左又は前方の長手方向の縁部
１１４  右又は後方の長手方向の縁部
１１５  長手方向の中心
１１６  第３の楔形面
１２０  第２のリング、リテーナリング
１２１  内側先端
１２２  第２の楔形面
１２４  サブリング
１２６  左又は前方のサブリング
１２８  右又は後方のサブリング
１２９  第４の楔形面
１３０  インデューサ
１３２  締め具、ボルト
１３４  ナット
１４０  第１の弧形セグメント
１４２  間隙
１５０  第２の弧形セグメント
１５２  間隙
１６０  リテーナフランジ、リテーナ部分、リテーナリング
【図１】
2016512307.tif 000003
【図２】
2016512307.tif 000004
【図３】
2016512307.tif 000005
【図４】
2016512307.tif 000006
【図５】
2016512307.tif 000007
【図６】
2016512307.tif 000008
【図７】
2016512307.tif 000009
【図８】
2016512307.tif 000010
【図９】
2016512307.tif 000011
【図１０】
2016512307.tif 000012
【国際調査報告】
2016512307.tif 000013
2016512307.tif 000014
2016512307.tif 000015